(57)【要約】【課題】  巻取り機にて終夜運転が可能なロール紙を用いたプリンタ装置において、巻き取り機を用いて連続して印刷を行うと先に印刷要求したジョブから巻取り機の内側に巻かれていくため、印刷要求を早く出した印刷物がすぐに取り出せない問題があった。【解決手段】  巻取り機にて終夜運転が可能なロール紙を用いたプリンタ装置において、終夜運転モードの入力が行われると、ＨＤＤ等の大容量メモリにスプールされた印刷ジョブをスプールされた順番とは逆に印刷を行う。その結果、終夜運転モードによる巻き取られた印刷出力結果において、印刷要求をした順番に外側から内側に印刷物が配置される。【選択図】  図４
2009137198.tif 000002
【特許請求の範囲】
【請求項１】
印刷出力紙を巻き取る手段と、
印刷ジョブを保存する保存手段と、
前記保存手段に格納された印刷ジョブを保存した順番とは逆の順番から印刷を行う手段を有することを特徴とするロール紙を用いた印刷装置。
【請求項２】
前記保存手段に格納された印刷ジョブを保存した順番とは逆の順番から印刷を行う手段を終夜運転モードとすると、前記終夜運転モードによる印刷中に受信した印刷ジョブは前記保存手段に格納され、前記終夜運転モードによる印刷が終り印刷出力結果が取り出されるまで前記終夜運転モードによる印刷中に受信した印刷ジョブの印刷開始は行われないことを特徴とする請求項１記載のロール紙を用いた印刷装置。
【請求項３】
前記保存手段に格納された印刷ジョブを保存した順番とは逆の順番から印刷を行う手段を終夜運転モードとすると、前記終夜運転モードによる印刷中に受信した印刷ジョブは受け付けないことを特徴とする請求項１または２記載のロール紙を用いた印刷装置。
【発明の詳細な説明】
【技術分野】
【０００１】
本発明は、ロール紙プリンタ、特に巻き取り機を接続可能なプリンタ装置に関するものである。
【背景技術】
【０００２】
従来、ロール紙へ印刷するプリンタはロール紙給紙装置により供給された印刷用紙に対して、プリンタヘッドによりインク吐出を行って印刷が行われ、ページ単位の印刷処理が完了した時点でカッターにより印刷出力結果が切断されて排紙トレイへ送られる。
【０００３】
また、ロール紙へ印刷するプリンタは排紙トレイの代わりに巻き取り機を装備できるものがある。これにより、印刷出力結果をページ毎にカッターで切り離さずに、そのまま巻き取り機に巻き取らせて印刷出力を行うことが可能であり、連続して印刷を行っても印刷出力結果が折れ曲がったり、床に散らばったりせずに印刷出力結果の品位を保つことができる。
【０００４】
またＢ０やＡ０等の大判用紙の印刷を行うプリンタはＡ３やＡ４等の用紙の印刷を行う一般のプリンタに比べ、スループットが遅くまた1台あたりの価格も高価なため、1台あたりの稼動効率をよくすることが特に求められている。
【０００５】
上記の問題解決手段として印刷用紙としてロール紙、印刷出力結果の収納方法として巻き取り機を用いて、プリンタ本体のＨＤＤにスプールされている印刷データをまとめて終夜運転で印刷を行う方法がある。
【０００６】
また、ＨＤＤに印刷ジョブを格納し、ＲＴＣ内蔵の印刷装置により指定した時間に印刷を行うことにより、使用頻度の多い時間帯を避けて印刷を行う方法が知られている。（特許文献１参照）
【特許文献１】特開２００４−００９３６８号公報
【発明の開示】
【発明が解決しようとする課題】
【０００７】
しかしながら従来の終夜運転による印刷では、印刷ジョブがプリンタ本体にスプールされた順番で印刷が行われる。そのため、印刷ジョブがプリンタ本体にスプールされた順番に巻き取り機における印刷出力結果が内側から巻かれていくことになる。
【０００８】
そのため印刷要求を早く出した印刷ジョブの印刷出力結果を取り出すには後から印刷した外側の印刷出力結果を解く必要があり、直に取り出せない問題があった。
【課題を解決するための手段】
【０００９】
印刷出力紙を巻き取る手段と、印刷ジョブを保存する保存手段と、前記保存手段に格納された印刷ジョブを保存した順番とは逆の順番から印刷を開始する手段を有することを特徴とするロール紙を用いた印刷装置。
【００１０】
さらに前記保存手段に格納された印刷ジョブを保存した順番とは逆の順番から印刷を行う手段を終夜運転モードとすると、前記終夜運転モードによる印刷中に受信した印刷ジョブは前記保存手段に格納され、前記終夜運転モードによる印刷が終り印刷出力結果が取り出されるまで前記終夜運転モードによる印刷中に受信した印刷ジョブの印刷開始は行われないことを特徴とするロール紙を用いた印刷装置。
【００１１】
または前記保存手段に格納された印刷ジョブを保存した順番とは逆の順番から印刷を行う手段を終夜運転モードとすると、前記終夜運転モードによる印刷中に受信した印刷ジョブは受け付けないことを特徴とするロール紙を用いた印刷装置により上記課題の解決を行う。
【発明の効果】
【００１２】
本発明によりロール紙と巻き取り機を用いた終夜運転印刷において、巻き取られた印刷出力結果の外周から印刷ジョブがプリンタにスプールされた順番に印刷出力結果が配置される。そのためスプールを行った印刷ジョブの順番に印刷出力結果を容易に取り出すことが可能となりユーザビリティの向上を実現できる。
【発明を実施するための最良の形態】
【００１３】
本発明は、たとえば、図１の斜視図に示すようなロール紙プリンタ装置１００に適用される。
【００１４】
１２０は印刷出力結果、１１３は巻き取り機を示す。
【００１５】
また図２はロール紙プリンタ装置１００のブロック図を示したものである。
【００１６】
このロール紙プリンタ１００は、ユーザから要求された印刷ジョブに対して、プリンタヘッド１１１、給紙装置、巻き取り機１１３およびカッター装置を制御して、紙に印刷出力を行う機能を有するものである。
【００１７】
ロール紙プリンタ装置１００は、後述する機能により構成されている。ホストコンピュータ１１６からの印刷ジョブを受けとる外部Ｉ／Ｆ１０１。印刷処理等の装置全体の動作制御を司るＣＰＵ１０２。印刷処理などの動作のプログラムを格納するＲＯＭ１０３。印刷処理時に印刷ジョブなど各種のデータを書込及び読出が行われるＲＡＭ１０４。プリンタ装置内の各モータを制御するモータ駆動制御装置１０６。プリンタヘッド１１１を制御するヘッド制御装置１１０。巻き取り機1１３の動作を制御する巻き取り機制御装置１１２。プリンタの状態表示およびユーザ入力によるプリンタ動作指示を行うパネル１０５。印刷ジョブの格納を行うＨＤＤ１１４。そしてこれらはバス１１５を介して互いにデータ授受するようになされている。
【００１８】
また、モータ駆動制御装置１０６には、ヘッド駆動モータ１０７、給紙駆動モータ１０８、カッター駆動モータ１０９が接続されている。
【００１９】
ヘッド駆動モータ１０７はプリンタヘッド１１１が接続され、プリンタヘッド１１１の駆動に用いられる。給紙駆動モータ１０８はロール紙給紙装置で使用され、カッター駆動モータ１０９はカッターを駆動することに使用される。
【００２０】
ヘッド制御装置１１０には、プリンタヘッド１１１が接続され、プリンタヘッド１１１から吐出されるインク滴の制御を行う。巻き取り機制御装置１１２には、巻き取り機１１３が接続され、印刷出力された印刷用紙の長さを検知しながら巻き取る量を制御する。
【００２１】
次に印刷ジョブをＨＤＤ１１４にスプールしながら印刷をおこうプリンタ装置について説明する。
【００２２】
図３を用いて通常の印刷モードにおける印刷ジョブの受信に関する説明を行う。
（Ｓ１０１）
ホストコンピュータ１１６から外部Ｉ／Ｆ１０１を介して、ロール紙プリンタ装置１００に印刷ジョブが送られる。
（Ｓ１０２）
印刷ジョブに対して属性データＡが付与される。属性データＡは印刷を行う順番を管理するもので印刷ジョブをロール紙プリンタ装置１００が受け付けた順番に小さい番号から付けられていく。
（Ｓ１０３）
印刷ジョブは属性データＡと共にロール紙プリンタ装置１００のＨＤＤ１１４にスプールされる。
【００２３】
次に図４を用いて通常の印刷モードにおける印刷動作に関する説明を行う。
（Ｓ２０１）
ロール紙プリンタ装置１００のＨＤＤ１１４にスプールされている印刷ジョブがあるか判別する。
（Ｓ２０２）
ロール紙プリンタ装置１００のＨＤＤ１１４にスプールされている印刷ジョブがある場合、属性データＡが小さい順番から印刷される。つまり印刷ジョブをロール紙プリンタ装置１００が受け付けた順番に印刷が行われる。
（Ｓ２０３）
印刷後の印刷ジョブはＨＤＤ１１４から消去される。
【００２４】
ロール紙プリンタ装置１００のＨＤＤ１１４の印刷ジョブが無くなるまで印刷は行われ、受信する印刷ジョブが消去される印刷ジョブより多いとＨＤＤ１１４にスプールされた印刷ジョブは増えていく。受信する印刷ジョブが消去される印刷ジョブより少ないとＨＤＤ１１４にスプールされた印刷ジョブは減っていき、印刷ジョブがＨＤＤ１１４に無くなると印刷動作は休止し、印刷ジョブの受信待ちの状態となる。
【００２５】
［第1実施形態］
第1実施形態の終夜運転モードについて図５を用いて説明を行う。
【００２６】
第1実施形態では終夜運転モード中に受け付けた印刷ジョブはＨＤＤ１１４に格納され、終夜運転モードによる印刷出力結果が持ち出されてから、印刷が行われる場合について説明する。
【００２７】
なおここでいう終夜運転モードとはＨＤＤ１１４にスプールされた印刷ジョブを巻き取り機１１３を使用して連続印刷を行う印刷モードを意味する。従って終夜運転モードは夜だけに限定されたものではないが、深夜に無人の環境で自動運転印刷が行われることを想定している。
【００２８】
終夜運転モードがパネル１０５から設定され開始される。このときに終夜運転モード中に受け付けた印刷ジョブはＨＤＤ１１４に格納され、終夜運転モードによる印刷出力結果が持ち出されてから、印刷が行われるモードを選択されているものとする。
（Ｓ３０１）
終夜運転モードが開始するとＨＤＤ１１４にスプールされている印刷ジョブに対して属性データＢが付与される。属性データＢは属性データＡと同じ番号で付与され、属性データＢは終夜運転モードによる印刷の順番を管理するのに使われる。
（Ｓ３０２〜Ｓ３０４）
属性データＢが付与された印刷ジョブがあるか判別し、ある場合は属性データＢが大きい順番から印刷される。印刷後の印刷ジョブはＨＤＤ１１４から消去される。そして属性データＢが付与された印刷ジョブが無くなるまで印刷は行われる。つまり終夜運転モード開始時にＨＤＤ１１４にスプールされていた印刷ジョブはスプールされた順番とは逆の順番で印刷されることになる。
（Ｓ３０５）
属性データＢが付与された印刷ジョブが無くなるとロール紙プリンタ装置１００のパネル１０５から終夜運転モードの終了をユーザーに対して通知する。
【００２９】
このとき印刷出力結果１２０はカッターによりカットされ、ユーザーは巻き取り機１１３に巻き取られた印刷出力結果１２０を持ち出せる状態となる。
（Ｓ３０６）
ロール紙プリンタ装置１００が印刷出力結果１２０の持ち出しを検知すると、ユーザーに対する終夜運転モードの終了通知を終了し、通常の印刷モードとなる。
【００３０】
印刷出力結果１２０が持ち出されたことの検知手段としてはセンサーにより印刷出力結果１２０が取り外されたことを検知する方法や、ユーザーによるパネル１０５からの入力により印刷出力結果１２０が持ち出したことを示すことがある。
【００３１】
第1実施形態の終夜運転モードの期間における印刷ジョブの受信はＳ１０１〜Ｓ１０３の通常の印刷モードにおける印刷ジョブの受信と同様であり、受信した印刷ジョブは随時、ＨＤＤ１１４にスプールされる。終夜運転モードの期間に受けつた印刷ジョブには属性データＢの付与が行われていないため通常の印刷モードになるまで印刷は行われない。
【００３２】
以上のように第1実施形態の終夜運転モードによる印刷により、巻き取り機１１３に巻き取られた印刷出力結果１２０に対して外側から内側に向かって、印刷ジョブがロール紙プリンタ装置１００のＨＤＤ１１４にスプールされた順番に印刷出力結果１２０が配置される。そのため先に印刷ジョブを送った印刷出力結果１２０を取り出すために巻き取られたその後に印刷した印刷出力結果１２０を解く必要が無くなる。従って印刷ジョブがロール紙プリンタ装置１００のＨＤＤ１１４にスプールされた順番に印刷出力結果１２０を容易に取り出すことが可能となる。
【００３３】
［第２実施形態］
第２実施形態の終夜運転モードについて図６を用いて説明を行う。
【００３４】
第２実施形態では終夜運転モード中に受け付けた印刷ジョブはＨＤＤ１１４に格納され、終夜運転モードによる印刷出力結果が持ち出されることを確認せずに、そのまま印刷が行われる場合について説明する。
【００３５】
終夜運転モードがパネル１０５から設定され開始される。このときに終夜運転モード中に受け付けた印刷ジョブはＨＤＤ１１４に格納され、終夜運転モードによる印刷出力結果が持ち出されることを確認せずに、そのまま印刷が行われるモードを選択されているものとする。
（Ｓ４０１〜Ｓ４０４）
第１実施形態のＳ３０１〜Ｓ３０４と同様である。
（Ｓ４０５）
第１実施形態のように印刷出力結果１２０がカッターによりカットされることや、ユーザーによる印刷出力結果１２０の持ち出しを検知せずに終夜運転モードが終了し、通常の印刷モードになる。
【００３６】
第２実施形態の終夜運転モードの期間における印刷ジョブの受信はＳ１０１〜Ｓ１０３の通常の印刷モードにおける印刷ジョブの受信と同様であり、受信した印刷ジョブは随時、ＨＤＤ１１４にスプールされる。
【００３７】
第1実施形態とは違い、第２実施形態では終夜運転モードの終了後に巻き取り機１１３の印刷出力結果１２０をそのままの状態で引き続き印刷を行う。そのため終夜運転モードで印刷を行った印刷出力結果１２０の上に新たな印刷出力結果１２０が巻かれていくため、終夜運転モード時に印刷を行った印刷出力結果１２０は取り出し難くなる。
【００３８】
しかし、終夜運転モード終了時の印刷出力結果１２０の箇所を切り取り分離すれば、巻き取られた印刷出力結果１２０に対して外側から内側に向かって、印刷ジョブの印刷出力結果１２０がロール紙プリンタ装置１００のＨＤＤ１１４にスプールされた順番に配置される。そのため印刷ジョブがロール紙プリンタ装置１００のＨＤＤ１１４にスプールされた順番に印刷出力結果１２０を容易に取り出すことが可能となる。また第２実施形態は第１実施形態とは終夜運転モード終了後にユーザーによる印刷出力結果１２０の持ち出しを待たずに通常モードの印刷を開始する点が違う。そのため終夜運転モードの印刷出力結果１２０が素早く持ち出されない場合には第１実施形態より第２実施形態の方が効率よく印刷出力結果１２０を得ることができる。
【００３９】
［第３実施形態］
第３実施形態の終夜運転モードについて図７を用いて説明を行う。
【００４０】
第３実施形態では終夜運転モード中に受け付けた印刷ジョブは受け付けない場合について説明する。
【００４１】
終夜運転モードがパネル１０５から設定され開始される。このときに終夜運転モード中に受け付けた印刷ジョブは受け付けないモードを選択されているものとする。
（Ｓ５０１〜Ｓ５０３）
終夜運転モード中にロール紙プリンタ装置１００にホストコンピュータ１１６から印刷ジョブが送られると、ユーザーに対して終夜運転モード中であるため印刷ジョブが受け付けられなかったことを通知し、印刷ジョブを受け付けない。
【００４２】
終夜運転モードにおける印刷動作は第１実施形態のＳ３０１〜Ｓ３０６と同様である。
【００４３】
なお終夜運転モード中の期間とはパネル１０５からの終夜運転モードの設定からロール紙プリンタ装置１００が印刷出力結果１２０の持ち出しを検知するまでの期間である。この期間に受信した印刷ジョブはＨＤＤ１１４にスプールされない。
【００４４】
以上のように第３実施形態の終夜運転モードによる印刷により、巻き取り機１１３に巻き取られた印刷出力結果１２０に対して外側から内側に向かって、印刷ジョブがロール紙プリンタ装置１００のＨＤＤ１１４にスプールされた順番に印刷出力結果１２０が配置される。そのため先に印刷ジョブを送った印刷出力結果１２０を取り出すために巻き取られたその後に印刷した印刷出力結果１２０を解く必要が無くなる。従って印刷ジョブがロール紙プリンタ装置１００のＨＤＤ１１４にスプールされた順番に印刷出力結果１２０を容易に取り出すことが可能となる。
【００４５】
［産業上の利用可能性］
以上の発明はインクジェット印刷装置に関しての説明であるがＨＤＤが搭載された電子写真等の他の印刷装置への適用も考えられる。
【図面の簡単な説明】
【００４６】
【図１】本発明のロール紙印刷装置の斜視図。
【図２】本発明の構成を示すブロック図。
【図３】本発明の通常の印刷モードにおける印刷ジョブの受信方法を示すフローチャート図。
【図４】本発明の通常の印刷モードにおける印刷動作を示すフローチャート図。
【図５】本発明の第１実施形態の終夜運転モードにおける印刷動作を示すフローチャート図。
【図６】本発明の第２実施形態の終夜運転モードにおける印刷動作を示すフローチャート図。
【図７】本発明の第３実施形態の終夜運転モードにおける印刷ジョブの受信方法を示すフローチャート図。
【符号の説明】
【００４７】
１００  ロール紙プリンタ装置
１０１  外部Ｉ／Ｆ
１０２  ＣＰＵ
１０３  ＲＯＭ
１０４  ＲＡＭ
１０５  パネル
１０６  モータ駆動制御装置
１０７  ヘッド駆動モータ
１０８  給紙駆動モータ
１０９  カッター駆動モータ
１１０  ヘッド制御装置
１１１  プリンタヘッド
１１２  巻き取り機制御装置
１１３  巻き取り機
１１４  ＨＤＤ
１１５  バス
１１６  ホストコンピュータ
１２０  印刷出力結果
【図１】
2009137198.tif 000003
【図２】
2009137198.tif 000004
【図３】
2009137198.tif 000005
【図４】
2009137198.tif 000006
【図５】
2009137198.tif 000007
【図６】
2009137198.tif 000008
【図７】
2009137198.tif 000009